(57)【要約】【課題】傾きを抑えたコネクタ組立体を提供する。【解決手段】コネクタ組立体１００は、第１コネクタ１０と、第２コネクタ２０と、アダプタ３０とから構成されている。第１コネクタ１０は、回路基板１１の接続部１１３を除く部分がモールド封止されて支持体１２を形成している。また、支持体１２には、幅方向両側に係止部１２２が設けられている。この第１コネクタ１０の後端部はアダプタ３０に嵌め込まれる。このアダプタ３０は、幅方向両側に係止アーム３３を備えている。第１コネクタ１０は、第２コネクタ２０に、その第２コネクタ２０とアダプタ３０とで前後方向から挟まれるようにして嵌合する。そして、第１コネクタ１０の係止部１２２は第２コネクタ２０のロックアーム２１３に係止する。また、アダプタ３０の係止アーム３３は、第２コネクタ２０の係止壁２１８に係止する。アダプタ３０は、第１コネクタ１０の厚み方向への傾きを阻止する。【選択図】図５
2017069158.tif 000002
【特許請求の範囲】
【請求項１】
前端縁に沿って複数の接続パッドが形成された接続部を有する回路基板を備え、該回路基板の、該接続部を除く領域がモールド封止されてなる第１コネクタと、
前記第１コネクタが前記前端縁側から差し込まれる嵌合開口を有し、該第１コネクタが該嵌合開口に差し込まれた状態における前記複数のパッドと電気的に接続する複数のコンタクトを備えた第２コネクタと、
前記第１コネクタの後端部が嵌り込む嵌入部を有するとともに、幅方向両側に、前記第２コネクタに係止し該第２コネクタと協働して該第１コネクタを前後方向から挟み込んだ状態に維持して該第１コネクタの厚み方向への傾きを防止する第１係止部を有するアダプタとを備えたことを特徴とするコネクタ組立体。
【請求項２】
前記第１コネクタが、幅方向両側に、前記第２コネクタに係止して、前記アダプタが不存在の状態における該第２コネクタからの該第１コネクタの抜止めとして作用する第２係止部を備えたことを特徴とする請求項１に記載のコネクタ組立体。
【請求項３】
前記アダプタが、前記第１コネクタの熱を排出する通気口を有することを特徴とする請求項１または２に記載のコネクタ組立体。
【発明の詳細な説明】
【技術分野】
【０００１】
本発明は、互いに嵌合する一対のコネクタを備えたコネクタ組立体、特に、いわゆるカードエッジコネクタを備えたコネクタ組立体に関する。
に関する。
【背景技術】
【０００２】
電子回路が搭載された回路基板の前端縁に沿って形成された複数のパッドに接触するコンタクトを有する、いわゆるカードエッジコネクタが知られている。カードエッジコネクタは、例えば自動車のエンジン制御用として使用されている。
【０００３】
特許文献１には、互いに嵌合するカード部材とカードエッジコネクタとからなる防水性のコネクタ組立体が開示されている。この特許文献１に開示されたカードエッジコネクタは、カード部材の厚み方向片面のみにロック部を有する。このため、カード部材がカードエッジコネクタに嵌合したまま厚み方向に傾くおそれがあり、接続不良や防水性能の低下を招くおそれがある。このカードエッジコネクタにおいて、厚み方向両面にロック部材を備えると、厚み方向に嵩高となり、好ましくない。
【先行技術文献】
【特許文献】
【０００４】
【特許文献１】特開２０１３−１８２２９９号公報
【発明の概要】
【発明が解決しようとする課題】
【０００５】
本発明は、上記事情に鑑み、傾きを抑えたコネクタ組立体を提供することを目的とする。
【課題を解決するための手段】
【０００６】
上記目的を達成する本発明のコネクタ組立体は、
前端縁に沿って複数の接続パッドが形成された接続部を有する回路基板を備え、その回路基板の、接続部を除く領域がモールド封止されてなる第１コネクタと、
上記第１コネクタが前端縁側から差し込まれる嵌合開口を有し、第１コネクタが嵌合開口に差し込まれた状態における上記複数のパッドと電気的に接続する複数のコンタクトを備えた第２コネクタと、
第１コネクタの後端部が嵌り込む嵌入部を有するとともに、幅方向両側に、第２コネクタに係止し第２コネクタと協働して第１コネクタを前後方向から挟み込んだ状態に維持して第１コネクタの厚み方向への傾きを防止する第１係止部を有するアダプタとを備えたことを特徴とする。
【０００７】
本発明のコネクタ組立体は、互いに嵌合する第１コネクタと第２コネクタに加え、アダプタを備えている。このアダプタは、第２コネクタと協働して第１コネクタを前後方向から挟み込んだ状態に維持して第１コネクタの厚み方向への傾きを防止する。本発明のコネクタ組立体は、このように、傾き防止のためのアダプタを備えたことにより、傾きの確実な防止が図られる。
【０００８】
また、本発明のコネクタ組立体は、幅方向両側を使って係止するものであり、嵩高となることが避けられている。
【０００９】
ここで、本発明のコネクタ組立体において、第１コネクタが、幅方向両側に、第２コネクタに係止して、アダプタが不存在の状態における第２コネクタからの第１コネクタの抜止めとして作用する第２係止部を備えることが好ましい。
【００１０】
第１コネクタに上記の第２係止部を備えると、アダプタ取付前において、あるいはアダプタを取外した際に第２コネクタから第１コネクタが外れてしまうことが防止される。
【００１１】
また、本発明のコネクタ組立体において、上記アダプタが、第１コネクタの熱を排出する通気口を有することが好ましい。
【００１２】
第１コネクタは回路基板を備えている。このため、その回路基板上に搭載された電子部品の動作により発熱することがある。上記アダプタに通気口を設けておくことにより、熱を逃がし熱の過度な蓄積を防ぐことができる。
【発明の効果】
【００１３】
以上の本発明によれば、厚み方向への傾きが確実に防止されたコネクタ組立体が実現する。
【図面の簡単な説明】
【００１４】
【図１】本発明の一実施形態としてのコネクタ組立体を構成する第１コネクタの外観斜視図である。
【図２】図１に示す第１コネクタと嵌合する第２コネクタの外観斜視図である。
【図３】図２に示す第２コネクタの、図２とは角度を変えて示した外観斜視図である。
【図４】アダプタの外観斜視図である。
【図５】本発明の一実施形態としてのコネクタ組立体の、嵌合前の状態を示した平面図である。
【図６】図５に示すコネクタ組立体の、嵌合した状態を示した平面図である。
【図７】図５に示す矢印Ｙ−Ｙに沿う断面図である。
【図８】図６に示す矢印Ｚ−Ｚに沿う断面図である。
【発明を実施するための形態】
【００１５】
以下、本発明の実施の形態を説明する。
【００１６】
図１は、本発明の一実施形態としてのコネクタ組立体を構成する第１コネクタの外観斜視図である。
【００１７】
また、図２は、図１に示す第１コネクタと嵌合する第２コネクタの外観斜視図である。この図２に示す第２コネクタ２０も、図１に示す第１コネクタ１０とともに、本発明の一実施形態としてのコネクタ組立体を構成している。
【００１８】
図１に示す第１コネクタ１０には、回路基板１１が備えられている。この回路基板１１には、前端縁１１１に沿う位置に複数の接続パッド１１２が形成されている。ここでは、回路基板１１の、複数の接続パッド１１２が形成されている、前端縁１１１に沿う部分を、接続部１１３と称する。
【００１９】
この回路基板１１の接続部１１３を除く領域は、例えばエポキシ樹脂等の樹脂でモールド封止され、その樹脂からなる支持体１２が形成されている。
【００２０】
また、図２に示す第２コネクタ２０には、ＰＢＴ（ポリブチレンテレフタレート）樹脂等の樹脂からなるハウジング２１が備えられている。このハウジング２１には、嵌合開口２１１が形成されている。この嵌合開口２１１には、図１に示す第１コネクタ１０が、その前端縁１１１側から矢印Ｘの向きに差し込まれる。ここで、図２では、その図面上にハウジング２１の嵌合開口２１１があらわれる向きに第２コネクタ２０が示されている。ただし、嵌合にあたっては、第１コネクタ１０は、第２コネクタ２０に向かって、図１に示す矢印Ｘの向きに進み、図２に示す矢印Ｘの向きに、嵌合開口２１１内に差し込まれる。すなわち、第１コネクタ１０は、第２コネクタ２０の嵌合開口２１１に、回路基板１１の前端縁１１１側から差し込まれる。
【００２１】
ここで、第１コネクタ１０の支持体１２には、上下の各面から突出して嵌合の向きに延びる案内突条１２１が設けられている。一方、第２コネクタ２０には、ハウジング２１の嵌合開口２１１内の上下面の、第１コネクタ１０の案内突条１２１に対応した位置に、嵌合の向きに延びる案内溝２１２が設けられている。第１コネクタ１０の案内突条１２１は、嵌合に際し第２コネクタ２０の案内溝２１２に入り込み、これにより、第１コネクタ１０と第２コネクタ２０との間の位置決めがなされる。
【００２２】
また、第１コネクタ１０の支持体１２には、その幅方向両側に係止部１２２が設けられている。この係止部１２２は、本発明にいう第２係止部の一例に相当する。
【００２３】
一方、図２に示す第２コネクタ２０のハウジング２１には、嵌合開口２１１の左右両側に隣接する位置に、ロックアーム２１３が設けられている。第１コネクタ１０が第２コネクタ２０の嵌合開口２１１に差し込まれると、第１のコネクタ１０の左右の係止部１２２が第２コネクタ２０の左右のロックアーム２１３に係止される。これにより、第１コネクタ１０は、第２コネクタ２０から不用意には抜けないように抜け止めされる。
【００２４】
さらに、図１に示す第１コネクタ１０の支持体１２には、その幅方向両側の後端部に指掛部１２３が設けられている。この指掛部１２３は、第１コネクタ１０を第２コネクタ２０から抜き取るときの指掛りとして用いられる。
【００２５】
また、図１に示す第１コネクタ１０は、支持体１２を一周する防水ゴム１３を備えている。一方、図２に示す第２コネクタ２０のハウジング２１には、嵌合開口２１１内に、一周にわたるゴム当て部２１４が形成されている。第１コネクタ１０が第２コネクタ２０に嵌合すると、防水ゴム１３がゴム当て部２１４に一周に渡って密着する。これにより、その部分が防水ゴム１３で防水される。
【００２６】
図３は、図２に示す第２コネクタの、図２とは角度を変えて示した外観斜視図である。
【００２７】
この後は、図２とともにこの図３を参照しながら、第２コネクタ２０について説明を続ける。
【００２８】
図１に示す第１コネクタ１０の指掛部１２３と同様、図２，図３に示す第２コネクタ２０にも、その幅方向両側に指掛部２１５が設けられている。この指掛部２１５は、ロックアーム２１３のロック解除のために用いるが、この第２コネクタ２０から第１コネクタ１０を抜き取るときの、第２コネクタ２０側の指掛りとしても用いられる。
【００２９】
また、この第２コネクタ２０には、ハウジング２１の上面に取付部２１６が設けられている。この取付部２１６は、この第２コネクタ２０を所定場所に取り付けるための構造である。この取付部２１６は、第２コネクタ２０の上下面のうちの上面にのみ設けられている。
【００３０】
さらに、この第２コネクタ２０には、上下２段の多数本のケーブル５０が接続されている。これらのケーブル５０は、この第２コネクタ２０のハウジング２１の内部に備えられたコンタクト２２（図７，図８参照）に接続されている。第１コネクタ１０が第２コネクタ２０に嵌合すると、第１コネクタ１０の回路基板１１上の接続パッド１１２と第２コネクタ２０のコンタクト２２が接触し、互いに電気的に接続される。
【００３１】
また、この第２コネクタ２０の後端の、この第２コネクタ２０からケーブル５０が引き出されるケーブル引出口２１７には、ゴム押え部材２３が嵌め込まれている。第２コネクタ２０のハウジング２１の、ゴム押え部材２３の内側には、防水用のゴムパッキン２４（図７，図８参照）が配置されている。このゴムパッキン２４は、複数本のケーブル５０の１本１本を通過させてそれらのケーブル５０に密着する孔２４１を有する。また、このゴムパッキン２４は、ハウジング２１のケーブル引出口２１７に繋がる内壁にも密着する。このようにして、このゴムパッキン２４により、第２コネクタ２０の後端部分が防水されている。
【００３２】
第２コネクタ２０の更なる構成要素については、図４を参照して説明するアダプタ３０の説明とともに説明する。
【００３３】
図４は、アダプタの外観斜視図である。ここで、図４（Ａ），（Ｂ）は、そのアダプタを互いに異なる視点から描いた図である。
【００３４】
このアダプタ３０は、図１に示す第１コネクタ１０および図２，図３に示す第２コネクタ２０とともに、本発明の一実施形態としてのコネクタ組立体の構成要素である。このアダプタ３０は、第２コネクタ２０のハウジング２１と同様、ＰＢＴ樹脂等の樹脂で形成されている。
【００３５】
このアダプタ３０には、図１に示す第１コネクタ１０の後端部が嵌り込む嵌入部３１が設けられている。この嵌入部３１内の上下には、この嵌入部３１に嵌り込んだ第１コネクタ１０の後端部の上下面を挟むように支持する支持部３２が設けられている。
【００３６】
また、このアダプタ３０の左右両側に、片側につき上下に並んだ各一対の係止アーム３３が設けられている。この係止アーム３３は、本発明にいう第１係止部の一例に相当する。これらの係止アーム３３は、図２，図３に示す第２コネクタ２０の係止壁２１８に係止する。すなわち、このアダプタ３０は、第２コネクタ２０と協働して、第１コネクタ１０を前後方向から挟み込んだ状態に維持する。そして、このアダプタ３０は、左右両側において、上下に離れて形成された各一対の係止アーム３３が第２コネクタ２０に係止する。この係止により、第１コネクタ１０がその厚み方向（上下方向）に傾くことが阻止されている。すなわち、これによって、第１コネクタ１０と第２コネクタ２０との相対的な姿勢が一意に固定される。したがって、接続パッド１１２（図１参照）とコンタクト２２（図７，図８参照）との間の電気的な接続の高い信頼性、および防水ゴム１３（図１参照）やゴムパッキン２４（図７参照）による防水の高い信頼性が確保される。
【００３７】
また、図４に示すアダプタ３０には、その上下面に、嵌入部３１に嵌り込んだ第１コネクタ１０の後端部上下面を外部に晒す、複数の大きな通気口３４が形成されている。第１コネクタ１０には図１に示すように回路基板１１が組み込まれていて、その回路基板１１に搭載されている電子部品（不図示）がその動作により発熱する。第１コネクタ１０の、電子部品をモールド封止している支持体１２は、熱伝導率が比較的高いエポキシ樹脂等で形成されている。これに対し、アダプタ３０は、ＰＢＴ樹脂等であって熱伝導率はエポキシ樹脂よりも劣る。このため、アダプタ３０に通気口３４を設けることで、その発熱による熱が内側に蓄積するのを避けている。
【００３８】
図５は、本発明の一実施形態としてのコネクタ組立体の、嵌合前の状態を示した平面図である。このコネクタ組立体１００は、第２コネクタ２０、第１コネクタ１０、およびアダプタ３０から構成されている。ここでは、これら第２コネクタ２０、第１コネクタ１０およびアダプタ３０が嵌合の向きに並べられて示されている。ただし、紙面の関係上、第２コネクタ２０と、第１コネクタ１０およびアダプタ３０は、上下２段に分かれて示されている。また、第２コネクタ２０については、一部を断面し、第１コネクタ１０およびアダプタ３０との係止の構造を示している。
【００３９】
また、図６は、図５に示すコネクタ組立体の、嵌合した状態を示した平面図である。
【００４０】
これら図５および図６は、これまで説明してきた図１〜図４に示されている上方の面を上面としたときの、下面側から見た図である。図２，図３に示す第２コネクタ２０の取付部２１６は、ハウジング２０の上面にのみ設けられていて、下面には設けられていない。このため、この図５および図６には、その取付部２１６はあらわれていない。
【００４１】
第１コネクタ１０を第２コネクタ２０に嵌合させるにあたっては、先ず、第１コネクタ１０の後端部をアダプタ３０に嵌め込む。そして、そのアダプタ３０に嵌め込まれた第１コネクタ１０を、アダプタ３０とともに、第２コネクタ２０に嵌合させる。すると、前述した通り、第１コネクタ１０の係止部１２２は、第２コネクタ２０のロックアーム２１３に係止される。また、アダプタ３０の係止アーム３２は、第２コネクタ２０の係止壁２１８に係止される。これにより、第１コネクタ１０は、第２コネクタ２０とアダプタ３０とにより前後方向から挟み込まれ、かつ、第１コネクタ１０は、アダプタ３０の存在により、厚み方向（上下方向）に傾くことが阻止される。すなわち、アダプタ３０の存在により、第１コネクタ１０の、第２コネクタ２０に対する姿勢が、一義的に定らめれる。
【００４２】
本実施形態のコネクタ組立体１００の場合、第１コネクタ１０に係止部１２２が設けられている。第１コネクタ１０を第２コネクタ２０に嵌合させると、この係止部１２２は、第２コネクタ２０のロックアーム２１３に係止される。すなわち、この第１コネクタ１０は、アダプタ３０が不存在であっても、第２コネクタ２０に対し抜け止めされる。したがって、第１コネクタ１０をアダプタ３０に嵌め込むことなく、第１コネクタ１０を単独で第２コネクタ２０に先に嵌合させてもよい。ただし、アダプタ３０がない状態では、第１コネクタ１０は第２コネクタ２０に対し、僅かな力で厚み方向（上下方向）に傾いた姿勢となる。このため、アダプタ３０は、第１コネクタ１０を第２コネクタ２０に嵌合させた後であってもよいが、確実に取り付ける必要がある。
【００４３】
図７は、図５に示す矢印Ｙ−Ｙに沿う断面図である。
【００４４】
また、図８は、図６に示す矢印Ｚ−Ｚに沿う断面図である。
【００４５】
第２コネクタ２０には、コンタクト２２が備えられている。このコンタクト２２は、第１コネクタ１０を構成する回路基板１１の接続部１１３に形成されている接続パッド１１２（図１参照）に接触して電気的に接続される。このコンタクト２２と接続パッド１１２との電気的な接続部分には、第１コネクタ１０に備えられている防水ゴム１３と、第２コネクタ２０に備えられているゴムパッキン２４とによる防水構造により、水の浸入が阻止されている。ゴムパッキン２４は、ゴム押え部材２３（図３を合わせて参照）により押えられて、抜け止めされている。また、第２コネクタ２０には、スペーサ２５が設けられている。このスペーサ２５は、第２コネクタ２０の外壁２６とランス２７との間の隙間を埋めている部材である。スペーサ２５はまた、第１コネクタ１０及び第２コネクタ２０の嵌合時に、コンタクト２２を回路基板１１の接続パッド１１２に接触させる機能も有する。
【００４６】
なお、本実施形態では、第１コネクタ１０に係止部１２２を設け、アダプタ３０を取り付けない状態であっても第１コネクタ１０単独で第２コネクタ２０に抜け止めされる。しかしながら、嵌合時には第１コネクタ１０にアダプタ３０を取り付けてから第２コネクタ２０に嵌合させることとし、第１コネクタ１０の係止部１２２および第２コネクタ１０のロックアーム２１３を設けない構成としてもよい。
【００４７】
また、本実施形態ではアダプタ３０に放熱用の通気口３４が設けられている。ただし、第１コネクタ１０に備えられている回路基板１１上の電子部品が強い発熱を伴わない電子部品のときは、通気口３４は必ずしも設けなくてもよい。
【符号の説明】
【００４８】
１０  第１コネクタ
１１  回路基板
１１１  前端縁
１１２  接続パッド
１１３  接続部
１２  支持体
１２１  案内突条
１２２  係止部（第２係止部）
１２３  指掛部
１３  防水ゴム
２０  第２コネクタ
２１  ハウジング
２１１  嵌合開口
２１２  案内溝
２１３  ロックアーム
２１４  ゴム当て部
２１５  指掛部
２１６  取付部
２１７  ケーブル引出口
２１８  係止壁
３０  アダプタ
３１  嵌入部
３２  支持部
３３  係止アーム（第１係止部）
３４  通気口
５０  ケーブル
１００  コネクタ組立体
【図１】
2017069158.tif 000003
【図２】
2017069158.tif 000004
【図３】
2017069158.tif 000005
【図４】
2017069158.tif 000006
【図５】
2017069158.tif 000007
【図６】
2017069158.tif 000008
【図７】
2017069158.tif 000009
【図８】
2017069158.tif 000010